【手続補正書】
【提出日】平成17年8月29日(2005.8.29)
【手続補正１】
【補正対象書類名】明細書
【補正対象項目名】特許請求の範囲
【補正方法】変更
【補正の内容】
【特許請求の範囲】
【請求項１】  電源に接続された状態において少なくとも２つの状態で選択的に作動可能な圧縮機であって１対の流体圧縮部材を有し、第１の容量に相当し該１対の流体圧縮部材がシールによって分離されている第１の状態とこの第１の容量よりも小さい第２の容量に相当し上記１対の流体圧縮部材間の上記シールによる密封が解除されている第２の状態とを含む圧縮機と、
冷却に対する要求を示す特性を感知する負荷センサと、
冷却に対する要求の関数である負荷サイクルの可変の制御信号を生じさせるために上記負荷センサに接続してあるコントローラと、
を備え、
上記コントローラが上記圧縮機に、可変の負荷サイクル制御信号に応じて圧縮機が上記した第１の状態と第２の状態とに選択的に切り替えられるように接続してあり、もって圧縮機が電源に接続された状態のままで冷却に対する要求を満たすように該圧縮機の容量を調整する圧縮機制御システム。
【請求項２】  前記圧縮機が冷媒を圧力下でくみ出すものであり、前記コントローラが可変の負荷サイクル制御信号を、冷媒圧力の変動の関数である可変のサイクル時間と共に生じさせるものである請求項１の制御システム。
【請求項３】  前記負荷センサが、温度センサである請求項１の制御システム。
【請求項４】  前記コントローラに接続された圧力センサを備えている請求項１の制御システム。
【請求項５】  前記負荷センサが温度センサであり、さらに前記コントローラに接続された圧力センサを備えている請求項１の制御システム。
【請求項６】  前記負荷センサが第１の変化率を有する特性を感知するものであり、さらに第２の変化率を有する第２の特性を感知する第２の負荷センサを設けてあって、第２の変化率が第１の変化率よりも実質的に大である請求項１の制御システム。
【請求項７】  前記負荷センサが温度変化を感知するものであり、前記第２の負荷センサが圧力変化を感知するものである請求項６の制御システム。
【請求項８】  前記圧縮機が流体圧縮部材、及び該圧縮部材を選択的に有効及び無効として前記した第１の状態と第２の状態とをとらせる機構を含む請求項１の制御システム。
【請求項９】  前記圧縮機が電動モータを含み、該圧縮機を、前記した第１の状態と第２の状態において上記電動モータが電源に接続された状態のままにとどめられるように構成してある請求項１の制御システム。
【請求項１０】  前記圧縮機が、シールによって互いに分離された２つの機械的な要素であって流体圧力を高めるように互いに対し相対的に可動である２つの機械的な要素を有しており、該圧縮機が、前記制御信号に応じ上記シールによる密封を選択的に解除し上記した２つの機械的な要素が実質的に一定した相対運動を維持することを許容しつつ流体圧力を変更させる機構を含んでいる請求項１の制御システム。
【請求項１１】  前記圧縮機がスクロール圧縮機である請求項１の制御システム。
【請求項１２】  前記圧縮機がスクロール圧縮機であり、前記した２つの機械的な要素が２つのスクロール部材である請求項１０の制御システム。
【請求項１３】  冷凍ケース、
この冷凍ケース内に配置された蒸発器、
この蒸発器に対し流体的に接続してある凝縮器及び圧縮機、
を備えており、
上記凝縮器が上記冷凍ケース上に配置されており、また該凝縮器が大気中に熱を移動させる手段を有し、
上記圧縮機が、パルス幅調整される可変容量圧縮機であり、
また、
上記冷凍ケース内に配置された負荷センサ、
この負荷センサに応動するコントローラであって上記圧縮機に対し、該圧縮機を密封状態と非密封状態間で制御して冷凍システムの作動容量を該システムの熱負荷に合致させる可変の負荷サイクル制御信号を供給するように接続してあるコントローラ、
を備えた冷凍システム。
【請求項１４】  第２の冷凍ケース、及びこの第２の冷凍ケース内に配置されていて前記凝縮器に対し流体的に接続してある第２の蒸発器を備えた請求項１３の冷凍システム。
【請求項１５】  第２の冷凍ケース、及びこの第２の冷凍ケース内に配置されていて前記圧縮機に対し流体的に接続してある第２の蒸発器を備えた請求項１３の冷凍システム。
【請求項１６】  前記負荷センサが、温度センサである請求項１３の冷凍システム。
【請求項１７】  前記コントローラが前記した可変の負荷サイクル制御信号を、圧力変動の関数である可変のサイクル時間と共に生じさせるものである請求項１３の冷凍システム。
【請求項１８】  前記コントローラに接続された圧力センサを備えている請求項１３の冷凍システム。
【請求項１９】  前記蒸発器に対し流体的に接続してある冷媒調整弁であって、前記した可変の負荷サイクル制御信号により電気的に制御されて冷凍システムの容量をさらに調整する冷媒調整弁を備えている請求項１３の冷凍システム。
【請求項２０】  前記弁がステッパー電動機を含んでいる請求項１９の冷凍システム。
【請求項２１】  ハウジング、
このハウジング内に配置された蒸発器、
この蒸発器に対し流体的に接続してある凝縮器及び圧縮機、
を備えており、
上記凝縮器が上記ハウジング上に配置されており、また該凝縮器が大気中に熱を移動させる手段を有し、
上記圧縮機が、パルス幅調整される可変容量圧縮機であり、
また、
上記ハウジング内に配置された負荷センサ、
この負荷センサに応動するコントローラであって上記圧縮機に対し、該圧縮機を密封状態と非密封状態間で制御して冷却システムの作動容量を該システムの熱負荷に合致させる可変の負荷サイクル制御信号を供給するように接続してあるコントローラ、
を備えた冷却システム。
【請求項２２】  第２のハウジング、及びこの第２のハウジング内に配置されていて前記凝縮器に対し流体的に接続してある第２の蒸発器を備えた請求項２１の冷却システム。
【請求項２３】  第２のハウジング、及びこの第２のハウジング内に配置されていて前記圧縮機に対し流体的に接続してある第２の蒸発器を備えた請求項２１の冷却システム。
【請求項２４】  前記負荷センサが、温度センサである請求項２１の冷却システム。
【請求項２５】  前記コントローラが前記した可変の負荷サイクル制御信号を、圧力変動の関数である可変のサイクル時間と共に生じさせるものである請求項２１の冷却システム。
【請求項２６】  前記コントローラに接続された圧力センサを備えている請求項２１の冷却システム。
【請求項２７】  前記蒸発器に対し流体的に接続してある冷媒調整弁であって、前記した可変の負荷サイクル制御信号により電気的に制御されて冷却システムの容量をさらに調整する冷媒調整弁を備えている請求項２１の冷却システム。
【請求項２８】  冷却システムにおいて冷媒圧力を生じさせる要素を制御するための適応自己同調コントローラであって、
上記した冷媒圧力を生じさせる要素に対し、偏差信号に基づいた閉ループ制御を該要素に提供するために接続してある制御処理装置を備え、
この制御処理装置が、少なくとも１つのプログラム的に調整可能なゲイン因数を含む制御アルゴリズムを実行するための第１の処理命令を貯蔵するメモリを含んでおり、
また上記制御処理装置が、新たなゲイン因数を周期的に発生することによって上記したプログラム的に調整可能なゲイン因数を適応的に変更するための第２の処理命令を貯蔵するメモリを含んでおり、
上記第２の処理命令が上記制御処理装置に、
（ａ）予定した時間にわたり、上記偏差信号の変動を監視させ該偏差信号の変動百分率を示す数値を発生させ、
（ｂ）メンバーシップ関数を適用することにより上記数値をファジイ化して、メンバーシップの度合を示す一連のファジイ入力値を発生させ、
（ｃ）上記ファジイ入力値に対し、上記メンバーシップ関数のうちの与えられたメンバーと結び付いたゲイン因数が変更されるべき度合を反映する予定した一連のルールを適用して、一連のファジイ出力値を発生させ、
（ｄ）上記した新たなゲイン因数を生じさせる結合操作によって上記ファジイ出力値を非ファジイ化させる
コントローラ。
【請求項２９】  前記第１の処理命令が、前記制御処理装置に比例閉ループ制御を行わせるものであり、前記ゲイン因数が比例定数である請求項２８のコントローラ。
【請求項３０】  前記第１の処理命令がさらに、前記制御処理装置に積分閉ループ制御を行わせるものである請求項２９のコントローラ。
【請求項３１】  前記第１の処理命令が、前記制御処理装置に積分閉ループ制御を行わせるものであり、前記ゲイン因数が積分定数である請求項２８のコントローラ。
【請求項３２】  前記メンバーシップ関数が、偏差値の異なった複数範囲を表す複数の言語的変量を定義するものである請求項２８のコントローラ。
【請求項３３】  前記言語的変量が、予め定義された大きい、中間及び小さい偏差値範囲を表す少なくも３つの言語的変量を含む請求項３２のコントローラ。
【請求項３４】  前記メンバーシップ関数がメンバーシップ関数値の重なった少なくも３つの範囲を、変動百分率を示す前記数値のうちの少なくもいくつかが１つのメンバーシップ関数値よりも多い写像上にマッピングされるように定義するものである請求項２８のコントローラ。
【請求項３５】  前記第２の処理命令がさらに、前記偏差信号の変動方向を前記制御処理装置に監視させるものであり、前記した予定した一連のルールが、正の偏差信号変動に対する一連のサブルールと負の偏差信号変動に対する一連のサブルールとを含むものである請求項２８のコントローラ。
【請求項３６】  前記第２の処理命令が前記コントローラに、前記ファジイ出力値の重心を計算することにより該ファジイ出力値を非ファジイ化して乗数を引き出し、該乗数を前記したプログラム的に調整可能なゲイン因数に適用して前記した新たなゲイン因数を生じさせるものである請求項２８のコントローラ。
【請求項３７】  前記した冷媒圧力を生じさせる要素が圧縮機である請求項２８のコントローラ。
【請求項３８】  前記した冷媒圧力を生じさせる要素が弁である請求項２８のコントローラ。
【請求項３９】  前記した冷媒圧力を生じさせる要素がステッパー制御弁である請求項２８のコントローラ。
【請求項４０】  少なくとも２つの状態で選択的に作動可能な圧縮機であって１対の流体圧縮部材を有し、第１の容量に相当し該１対の流体圧縮部材がシールによって分離されている第１の状態とこの第１の容量よりも小さい第２の容量に相当し上記１対の流体圧縮部材間の上記シールによる密封が解除されている第２の状態とを含む圧縮機と、
冷却に対する要求を示す特性を感知する負荷センサと、
感知された上記特性に基づいて負荷の時定数よりも短いサイクル時間で反復する制御信号を生じさせるために上記負荷センサに接続してあるコントローラと、
を備え、
上記コントローラが上記圧縮機に、上記制御信号に応じて圧縮機が上記した第１の状態と第２の状態とに選択的に切り替えられ該選択的な切り替えの累積効果により圧縮機の容量が調整されて冷却に対する要求を満たすように、接続してある圧縮機制御システム。
【請求項４１】  前記制御信号が可変の負荷サイクル制御信号であり、負荷サイクルが感知された前記特性に応じて変更される請求項４０の制御システム。
【請求項４２】  前記圧縮機が冷媒を圧力下でくみ出すものであり、前記コントローラが可変の負荷サイクル制御信号を、冷媒圧力の変動の関数である可変のサイクル時間と共に生じさせるものである請求項４０の制御システム。
【請求項４３】  前記負荷センサが、温度センサである請求項４０の制御システム。
【請求項４４】  前記コントローラに接続された圧力センサを備えている請求項４０の制御システム。
【請求項４５】  前記負荷センサが温度センサであり、さらに前記コントローラに接続された圧力センサを備えている請求項４０の制御システム。
【請求項４６】  前記負荷センサが第１の変化率を有する特性を感知するものであり、さらに第２の変化率を有する第２の特性を感知する第２の負荷センサを設けてあって、第２の変化率が第１の変化率よりも実質的に大である請求項４０の制御システム。
【請求項４７】  前記負荷センサが温度変化を感知するものであり、前記第２の負荷センサが圧力変化を感知するものである請求項４６の制御システム。
【請求項４８】  前記圧縮機が流体圧縮部材、及び該圧縮部材を選択的に有効及び無効として前記した第１の状態と第２の状態とをとらせる機構を含む請求項４０の制御システム。
【請求項４９】  前記圧縮機が電動モータを含み、該圧縮機を、前記した第１の状態と第２の状態において上記電動モータが電源に接続された状態のままにとどめられるように構成してある請求項４０の制御システム。
【請求項５０】  前記圧縮機が、シールによって互いに分離された２つの機械的な要素であって流体圧力を高めるように互いに対し相対的に可動である２つの機械的な要素を有しており、該圧縮機が、前記制御信号に応じ上記シールによる密封を選択的に解除し上記した２つの機械的な要素が実質的に一定した相対運動を維持することを許容しつつ流体圧力を変更させる機構を含んでいる請求項４０の制御システム。
【請求項５１】  前記圧縮機がスクロール圧縮機である請求項４０の制御システム。
【請求項５２】  前記圧縮機がスクロール圧縮機であり、前記した２つの機械的な要素が２つのスクロール部材である請求項５０の制御システム。
【請求項５３】  前記コントローラを前記圧縮機に対し、該圧縮機が前記サイクル時間で前記した第１の状態と第２の状態間で選択的に切り替えられるように接続してある請求項４０の制御システム。
【請求項５４】  前記コントローラが、負荷の時定数よりも少なくも４倍短いサイクル時間で反復する制御信号を生じさせるものである請求項４０の制御システム。
【請求項５５】  前記コントローラが、負荷の時定数よりも短いサイクル時間で反復する前記した可変の負荷サイクル制御信号を与えるものである請求項１の圧縮機制御システム。
【請求項５６】  前記コントローラが、負荷の時定数よりも短いサイクル時間で反復する前記した可変の負荷サイクル制御信号を与えるものである請求項１３の冷凍システム。
【請求項５７】  前記第１の状態が実質的に１００パーセントの容量に対応し、前記第２の状態が実質的に０パーセントの容量に対応するものである請求項１の圧縮機制御システム。
【請求項５８】  前記密封状態が実質的に１００パーセントの容量に対応し、前記非密封状態が実質的に０パーセントの容量に対応するものである請求項１３の冷凍システム。
【請求項５９】  前記密封状態が実質的に１００パーセントの容量に対応し、前記非密封状態が実質的に０パーセントの容量に対応するものである請求項２１の冷却システム。
【請求項６０】  圧縮機用のコントローラの診断システムであって、
圧縮機に対し接続するものとされたコントローラであって、負荷サイクルが冷却に対する要求の関数であり圧縮機の容量を調整するための可変の負荷サイクル制御信号を生じさせるコントローラと、
負荷サイクルを監視し該負荷サイクルを、システム故障状態を示す少なくとも１つの予定された故障値と比較するために上記コントローラに接続してある診断モジュールと、
負荷サイクルが上記故障値に対し予定した関係を有する時に警報信号を発生するように、上記診断モジュールに応動する警報モジュールと、
を備えた診断システム。
【請求項６１】  少なくとも２つの状態において通電されながら選択的に作動可能な圧縮機であって、第１の容量に相当する第１の状態と、この第１の容量よりも小さい第２の容量に相当する第２の状態とを含む圧縮機と、
冷却に対する要求を示す特性を感知する負荷センサと、
負荷サイクルが冷却に対する要求の関数である可変の負荷サイクル制御信号を生じさせるために前記負荷センサに接続しているコントローラであって、前記可変の負荷サイクル制御信号のために一定または可変のサイクル時間を確立するためのモジュールを含む該コントローラと、
を備え、
前記コントローラが、可変の負荷サイクル制御信号に応じて圧縮機が前記の第１の状態と第２の状態とに選択的に切り替えられるように前記圧縮機に接続しており、それによって圧縮機が通電されながら冷却に対する要求のために該圧縮機の容量を調整する冷凍圧縮機制御システム。
【請求項６２】  前記サイクル時間が、圧縮された冷媒の圧力変動の関数として変わる請求項６１の制御システム。
【請求項６３】  前記圧縮機は、空気から熱を除去するための蒸発器に圧縮冷媒を適用させるのに適しており、および前記サイクル時間は、蒸発器における出口空気温度の変動の関数として変わる請求項６１の制御システム。
【請求項６４】  前記サイクル時間が、負荷サイクルの関数として予定されている請求項６１の制御システム。
【請求項６５】  冷凍ケースと、
この冷凍ケース内に配置された蒸発器と、
この蒸発器に対し流体的に接続している凝縮器及び圧縮機と、
を備えており、
前記凝縮器が前記冷凍ケース上に配置されており、且つ該凝縮器が大気中に熱を移動させる手段を有し、
前記圧縮機が、パルス幅調整される可変容量圧縮機であり、また、
前記冷凍ケース内に配置された負荷センサと、
この負荷センサに応動し、且つ可変の負荷サイクル制御信号を前記圧縮機に供給するように該圧縮機に接続しているコントローラであって、前記圧縮機が作動時に第１の容量状態と第２の容量状態との間で制御され、それによって冷凍システムの作動容量を該システムの熱負荷に合致させるコントローラと、
前記蒸発器に対して流体的に接続している冷媒調整弁であって、可変の負荷サイクル制御信号によって電気的に制御されて前記冷凍システムの容量をさらに合致させる冷媒調整弁と、
を備えた冷凍システム。
【請求項６６】  前記冷媒調整弁がステッパー電動機を有している請求項６５の冷凍システム。
【請求項６７】  前記冷媒調整弁がパルス性ソレノイドを有している請求項６５の冷凍システム。
【請求項６８】  前記冷媒調整弁が吸引側の圧力制御弁として役立ちうる請求項６５の冷凍システム。
【請求項６９】  前記冷媒調整弁が液体側の膨張弁として役立ちうる請求項６５の冷凍システム。
【請求項７０】  冷凍ケースと、
この冷凍ケース内に配置された蒸発器と、
この蒸発器に対し流体的に接続してある凝縮器及び圧縮機と、
を備えており、
前記凝縮器が前記冷凍ケース上に配置されており、且つ該凝縮器が大気中に熱を移動させる手段を有し、
前記圧縮機が、パルス幅調整される可変容量圧縮機であり、また、
前記冷凍ケース内に配置された負荷センサと、
この負荷センサに応動し、且つ可変の負荷サイクル制御信号を前記圧縮機に供給するように該圧縮機に接続しているコントローラであって、前記圧縮機が作動時に第１の容量状態と第２の容量状態との間で制御され、それによって冷凍システムの作動容量を該システムの熱負荷に合致させるコントローラと、
前記冷凍システムを周期的に徐霜するためのモジュールと、
を備えた冷凍システム。
【請求項７１】  徐霜間の周波数が前記負荷サイクルの関数として適応できる請求項７０の冷凍システム。
【請求項７２】  徐霜時間は、前記負荷サイクルを徐霜時に最大に増大させることによって短縮化される請求項７０の冷凍システム。
【請求項７３】  徐霜開始は、霜無し状態を感知する負荷サイクルと、重い霜付き状態を感知する負荷サイクルとの差異の関数である請求項７０の冷凍システム。
【請求項７４】  前記システムは負荷を冷却するのに適し、且つ前記負荷サイクルは、冷却される負荷の温度を感知するパラメータに基づいている請求項６１の制御システム。
【請求項７５】  前記システムは負荷を冷却するのに適し、且つ前記負荷サイクルは、冷却される冷媒の温度に基づいている請求項６１の制御システム。
【請求項７６】  冷媒が、冷却されるべき空間中の空気である請求項７５の制御システム。
【請求項７７】  前記システムは負荷を冷却するのに適し、且つ前記負荷サイクルは、設定点の温度と冷却されるべき冷媒の温度との差異に基づいている請求項６１の制御システム。
【請求項７８】  冷媒が、冷却されるべき空間中の空気である請求項７７の制御システム。